(57)【要約】【課題】調光オフ時においても調光点灯時、全光点灯時においても消費電力を低減する。【解決手段】全波整流回路２２に昇圧チョッパ回路２４を接続し、この昇圧チョッパ回路に高周波インバータ回路２９を接続し、そのインバータ回路に放電灯３０を接続する。一方、全波整流回路２２に降圧チョッパ回路からなるスイッチングレギュレータで構成された制御電源回路３１を接続し、この制御電源回路が生成した制御電源を、トランジスタ３９を介して制御回路４０に供給する。制御回路は昇圧チョッパ回路及び高周波インバータ回路を、調光回路４４からの直流電圧ｄｉｍのレベルに応じて駆動制御し、放電灯を全光、調光、調光オフ制御する。調光オフのときにはトランジスタをオフして制御電源回路から制御回路への制御電源の供給を停止させる。このとき、調光回路はスタンバイ状態にあり、全光点灯や調光点灯の信号を入力すると、直ちにトランジスタをオンさせる。【選択図】      図１
2005142120.tif 000002
【特許請求の範囲】
【請求項１】
直流電源回路から電力の供給を受け、放電灯を点灯制御する点灯回路と、
調光信号に対応した直流電圧を出力する調光回路と、
この調光回路から直流電圧を取り込み、この直流電圧レベルに応じて前記点灯回路に調光の制御を行わせる制御信号を出力する制御回路と、
前記直流電源回路から電力の供給を受け、前記制御回路を駆動する制御電源を生成する降圧チョッパ動作を行うスイッチングレギュレータで構成された制御電源回路と、
調光信号が調光オフ信号のとき、前記制御電源回路から前記制御回路への制御電源の供給を停止させる停止制御回路とを備えたことを特徴とする放電灯点灯装置。
【請求項２】
直流電源回路から電力の供給を受け、放電灯を点灯制御する点灯回路と、
調光信号に対応した直流電圧を出力する調光回路と、
この調光回路から直流電圧を取り込み、この直流電圧レベルに応じて前記点灯回路に調光の制御を行わせる制御信号を出力する制御回路と、
前記直流電源回路から電力の供給を受け、前記制御回路を駆動する制御電源を生成する降圧チョッパ動作を行うスイッチングレギュレータで構成された制御電源回路と、
調光信号が調光オフ信号のとき、前記制御電源回路のスイッチングレギュレータのオンデューティ比を減少させ、前記制御回路から前記点灯回路への前記制御信号の出力を停止させるデューティ可変回路とを備えたことを特徴とする放電灯点灯装置。
【請求項３】
直流電源回路から電力の供給を受け、放電灯を点灯制御する点灯回路と、
調光信号に対応した直流電圧を出力する調光回路と、
この調光回路から直流電圧を取り込み、この直流電圧レベルに応じて前記点灯回路に調光の制御を行わせる制御信号を出力する制御回路と、
前記直流電源回路から電力の供給を受け、前記制御回路を駆動する制御電源を生成する降圧チョッパ動作を行うスイッチングレギュレータで構成された制御電源回路と、
調光信号が調光オフ信号のとき、前記制御電源回路のスイッチングレギュレータの駆動周波数を減少させ、前記制御回路から前記点灯回路への前記制御信号の出力を停止させる周波数可変回路とを備えたことを特徴とする放電灯点灯装置。
【請求項４】
直流電源回路から電力の供給を受け、放電灯を点灯制御する点灯回路と、
調光信号に対応した直流電圧を出力する調光回路と、
この調光回路から直流電圧を取り込み、この直流電圧レベルに応じて前記点灯回路に調光の制御を行わせる制御信号を出力する制御回路と、
前記直流電源回路から電力の供給を受け、前記制御回路を駆動する制御電源を生成する降圧チョッパ動作を行うスイッチングレギュレータで構成された制御電源回路と、
調光信号が調光オフ信号のとき、前記制御電源回路のスイッチングレギュレータを間欠発振させて前記制御回路から前記点灯回路への前記制御信号の出力を停止させる間欠発振回路とを備えたことを特徴とする放電灯点灯装置。
【請求項５】
調光回路は、リモートコントローラからの赤外線の調光信号を受信しデジタルな調光信号に変換する受信回路と、この受信回路からの調光信号を取り込み、この調光信号に対応した直流電圧を出力する送信回路とからなることを特徴とする請求項１乃至４のいずれか１記載の放電灯点灯装置。
【請求項６】
請求項１乃至５のいずれか１記載の放電灯点灯装置と、この放電灯点灯装置を収容する照明器具本体とからなることを特徴とする照明器具。
【発明の詳細な説明】
【技術分野】
【０００１】
本発明は、放電灯を調光点灯制御する放電灯点灯装置及びこの放電灯点灯装置を収容した照明器具に関する。
【背景技術】
【０００２】
従来、放電灯点灯装置としては、図１５に示すものが知られている。すなわち、商用電源１に全波整流回路２の入力端子を接続し、この全波整流回路２の出力端子にコンデンサ３並びに昇圧チョッパ回路４を接続している。昇圧チョッパ回路４は、全波整流回路２の出力端子間にインダクタ５を介して半導体スイッチ素子としてＭＯＳ型ＦＥＴ６を接続し、このＦＥＴ６にダイオード７を介して平滑コンデンサ８を接続したもので、ＦＥＴ６のスイッチング動作によってインダクタ５へのエネルギーの蓄積と放出を繰り返すことで平滑コンデンサ８に全波整流回路２の出力電圧よりも高い電圧を充電させるようになっている。そして、昇圧チョッパ回路４の出力端子に高周波インバータ回路９を接続し、そのインバータ回路９の出力端子に放電灯１０を接続している。なお、高周波インバータ回路９としては、ハーフブリッジ形やフルブリッジ形、あるいは１石式のものなどがある。
【０００３】
また、全波整流回路２の出力端子に起動用抵抗１１を介して平滑コンデンサ１２を接続し、その平滑コンデンサ１２から制御回路１３に制御電源電圧Ｖccを供給している。また、インダクタ５に第２のインダクタ１４を磁気的に結合して添設し、その第２のインダクタ１４を、ダイオード１５を介して前記平滑コンデンサ１２に並列に接続している。制御回路１３は、内部にチョッパ制御部１３ａとインバータ制御部１３ｂを設け、チョッパ制御部１３ａで前記ＦＥＴ６をスイッチング制御し、インバータ制御部１３ｂでインバータ回路９のトランジスタをスイッチング制御するようになっている。そして、調光信号に対応した直流電圧ｄｉｍをインバータ制御部１３ｂに供給し、この直流電圧ｄｉｍのレベルによってインバータ制御部１３ｂがインバータ回路９の発振周波数を制御し、これにより、インバータ回路９が放電灯１０を、全光状態を含めて調光点灯制御するようになっている。また、直流電圧ｄｉｍのレベルが予め設定した調光オフのレベルになったときにはインバータ制御部１３ｂはインバータ回路９の発振を停止するようになっている。なお、全光時の直流電圧ｄｉｍのレベルＬ1と調光点灯しているときの直流電圧ｄｉｍのレベルＬ2と調光オフ時の直流電圧ｄｉｍのレベルＬ3との関係は、Ｌ1＜Ｌ2＜Ｌ3、になっている。
【０００４】
この放電灯点灯装置においては、起動用抵抗１１は大きな抵抗値に設定されている。電源が投入されると、起動用抵抗１１を介して平滑コンデンサ１２に比較的小さな充電電流が流れ、やがて平滑コンデンサ１２の充電電圧がＶccに達すると制御回路１３が動作を開始する。これにより、昇圧チョッパ回路４のＦＥＴ６がスイッチング動作を開始し、また、インバータ回路９が発振動作を開始する。そして、昇圧チョッパ回路４が動作すると第２のインダクタ１４に起動電圧が誘起され、平滑コンデンサ１２は、以降は主に第２のインダクタ１４からダイオード１５を介して流れる大きな電流によって充電されるようになる。これにより、平滑コンデンサ１２は制御回路１３に対して十分に電力を供給できることになる。
【発明の開示】
【発明が解決しようとする課題】
【０００５】
しかしながら、この従来装置では、調光オフ信号が入力されてインバータ制御部１３ｂがインバータ回路９の発振を停止させ、チョッパ制御部１３ａがＦＥＴ６のスイッチング動作を停止させ、放電灯１０を消灯させている状態では、次に調光信号が入力されたときに直ちに昇圧チョッパ回路４やインバータ回路９が発振動作を開始できるように制御回路１３をスタンバイさせるため、起動用抵抗１１を介して平滑コンデンサ１２に充電電流を流し続けている。このため、調光オフ時における消費電力が大きいという問題があった。また、電流量は少ないが調光点灯時や全光点灯時においても起動用抵抗１１を介して平滑コンデンサ１２に充電電流が流れ続けるため、その分消費電力が大きくなるという問題があった。  
そこで、本発明は、調光オフ時においても調光点灯時及び全光点灯時においても消費電力を低減できる放電灯点灯装置及び照明器具を提供する。
【課題を解決するための手段】
【０００６】
本発明は、直流電源回路から電力の供給を受け、放電灯を点灯制御する点灯回路と、調光信号に対応した直流電圧を出力する調光回路と、この調光回路から直流電圧を取り込み、この直流電圧レベルに応じて点灯回路に調光の制御を行わせる制御信号を出力する制御回路と、直流電源回路から電力の供給を受け、制御回路を駆動する制御電源を生成する降圧チョッパ動作を行うスイッチングレギュレータで構成された制御電源回路と、調光信号が調光オフ信号のとき、制御電源回路から制御回路への制御電源の供給を停止させる停止制御回路とを備えた放電灯点灯装置にある。
【０００７】
また、本発明は、直流電源回路から電力の供給を受け、放電灯を点灯制御する点灯回路と、調光信号に対応した直流電圧を出力する調光回路と、この調光回路から直流電圧を取り込み、この直流電圧レベルに応じて点灯回路に調光の制御を行わせる制御信号を出力する制御回路と、直流電源回路から電力の供給を受け、制御回路を駆動する制御電源を生成する降圧チョッパ動作を行うスイッチングレギュレータで構成された制御電源回路と、調光信号が調光オフ信号のとき、制御電源回路のスイッチングレギュレータのオンデューティ比を減少させ、制御回路から点灯回路への制御信号の出力を停止させるデューティ可変回路とを備えた放電灯点灯装置にある。
【０００８】
また、本発明は、直流電源回路から電力の供給を受け、放電灯を点灯制御する点灯回路と、調光信号に対応した直流電圧を出力する調光回路と、この調光回路から直流電圧を取り込み、この直流電圧レベルに応じて点灯回路に調光の制御を行わせる制御信号を出力する制御回路と、直流電源回路から電力の供給を受け、制御回路を駆動する制御電源を生成する降圧チョッパ動作を行うスイッチングレギュレータで構成された制御電源回路と、調光信号が調光オフ信号のとき、制御電源回路のスイッチングレギュレータの駆動周波数を減少させ、制御回路から点灯回路への制御信号の出力を停止させる周波数可変回路とを備えた放電灯点灯装置にある。
【０００９】
また、本発明は、直流電源回路から電力の供給を受け、放電灯を点灯制御する点灯回路と、調光信号に対応した直流電圧を出力する調光回路と、この調光回路から直流電圧を取り込み、この直流電圧レベルに応じて点灯回路に調光の制御を行わせる制御信号を出力する制御回路と、直流電源回路から電力の供給を受け、制御回路を駆動する制御電源を生成する降圧チョッパ動作を行うスイッチングレギュレータで構成された制御電源回路と、調光信号が調光オフ信号のとき、制御電源回路のスイッチングレギュレータを間欠発振させて制御回路から点灯回路への制御信号の出力を停止させる間欠発振回路とを備えた放電灯点灯装置にある。
【００１０】
また、本発明は、調光回路を、リモートコントローラからの赤外線の調光信号を受信しデジタルな調光信号に変換する受信回路と、この受信回路からの調光信号を取り込み、この調光信号に対応した直流電圧を出力する送信回路とで構成した放電灯点灯装置にある。
さらに、本発明は、各項のいずれか１記載の放電灯点灯装置と、この放電灯点灯装置を収容する照明器具本体とからなる照明器具にある。
【発明の効果】
【００１１】
本発明によれば、調光オフのとき、制御電源回路から制御回路への制御電源の供給を停止させるので、調光オフ時における消費電力を低減でき、また、制御電源回路を降圧チョッパ動作を行うスイッチングレギュレータで構成しているので、調光点灯時及び全光点灯時における消費電力も低減できる放電灯点灯装置を提供できる。
【００１２】
また、本発明によれば、調光オフのとき、制御電源回路のスイッチングレギュレータのオンデューティ比を減少させて制御回路から点灯回路への制御信号の出力を停止させるので、調光オフ時における消費電力を低減でき、また、制御電源回路をスイッチングレギュレータで構成しているので、調光点灯時及び全光点灯時における消費電力も低減できる放電灯点灯装置を提供できる。
【００１３】
また、本発明によれば、調光オフのとき、制御電源回路のスイッチングレギュレータの駆動周波数を減少させて制御回路から点灯回路への制御信号の出力を停止させるので、調光オフ時における消費電力を低減でき、また、制御電源回路を降圧チョッパ動作を行うスイッチングレギュレータで構成しているので、調光点灯時及び全光点灯時における消費電力も低減できる放電灯点灯装置を提供できる。
【００１４】
また、本発明によれば、調光オフのとき、制御電源回路のスイッチングレギュレータを間欠発振させて制御回路から点灯回路への制御信号の出力を停止させるので、調光オフ時における消費電力を低減でき、また、制御電源回路を降圧チョッパ動作を行うスイッチングレギュレータで構成しているので、調光点灯時及び全光点灯時における消費電力も低減できる放電灯点灯装置を提供できる。
【００１５】
また、本発明によれば、さらに、リモートコントロールによって調光制御ができる放電灯点灯装置を提供できる。
【００１６】
また、本発明によれば、調光オフ時における消費電力を低減でき、また、調光点灯時及び全光点灯時における消費電力も低減できる照明器具を提供できる。
【発明を実施するための最良の形態】
【００１７】
以下、本発明の実施の形態を、図面を参照して説明する。  
（第１の実施の形態）
図１に示すように、商用電源２１に全波整流回路２２の入力端子を接続し、この全波整流回路２２の出力端子にコンデンサ２３並びに昇圧チョッパ回路２４を接続している。なお、全波整流回路２２の出力端子の負極側は接地電位になっている。
【００１８】
前記昇圧チョッパ回路２４は、全波整流回路２２の出力端子間に、インダクタ２５を介して半導体スイッチ素子としてＭＯＳ型ＦＥＴ２６を接続し、このＦＥＴ２６にダイオード２７を介して平滑コンデンサ２８を接続したもので、ＦＥＴ２６のスイッチング動作によってインダクタ２５へのエネルギーの蓄積と放出を繰り返すことで平滑コンデンサ２８に全波整流回路２２の出力電圧よりも高い電圧を充電させるようになっている。  
前記昇圧チョッパ回路２４の出力端子に高周波インバータ回路２９を接続し、そのインバータ回路２９の出力端子に放電灯３０を接続している。なお、高周波インバータ回路２９としては、ハーフブリッジ形やフルブリッジ形、あるいは１石式のものなどがある。前記昇圧チョッパ回路２４及び高周波インバータ回路２９は点灯回路を構成している。
【００１９】
また、前記全波整流回路２２の出力端子に、降圧チョッパ回路からなるスイッチングレギュレータで構成された制御電源回路３１を接続している。この制御電源回路３１は、全波整流回路２２の出力端子間に、小さな電流を流す電流源３２とＭＯＳ型ＦＥＴ３３との直列回路を接続し、この直列回路にＭＯＳ型ＦＥＴ３４とダイオード３５との直列回路を並列に接続している。なお、ＭＯＳ型ＦＥＴ３４とダイオード３５との接続は、ＦＥＴ３４のソースとダイオード３５のカソードを接続している。そして、前記ダイオード３５にインダクタ３６を介して平滑コンデンサ３７を並列に接続している。
【００２０】
前記ＭＯＳ型ＦＥＴ３４を駆動部３８によってスイッチング駆動するようになっている。前記駆動部３８はＦＥＴ３３のオン動作によって前記電流源３２から電流の供給を受けて動作するようになっている。前記制御電源回路３１は、ＭＯＳ型ＦＥＴ３４をスイッチング駆動することで降圧チョッパ動作を行い、平滑コンデンサ３７の両端間に降圧された＋Ｖccの制御電源電圧を出力するようになっている。
【００２１】
前記制御電源回路３１の出力端子間、すなわち、前記平滑コンデンサ３７の両端間にスイッチ素子であるＰＮＰ型トランジスタ３９を介して制御回路４０を接続し、＋Ｖccの制御電源電圧を供給するようにしている。前記制御回路４０は、内部にチョッパ制御部４０ａとインバータ制御部４０ｂを設け、チョッパ制御部４０ａで前記昇圧チョッパ回路２４のＦＥＴ２６をスイッチング駆動し、インバータ制御部４０ｂで前記インバータ回路２９のスイッチングトランジスタをスイッチング駆動するようになっている。
【００２２】
前記トランジスタ３９のベースはツェナーダイオード４１、ダイオード４２及び抵抗４３の直列回路を介して端子Ｔに接続している。前記トランジスタ３９、ツェナーダイオード４１、ダイオード４２及び抵抗４３は停止制御回路を構成している。そして、調光回路４４から出力される調光制御するための直流電圧ｄｉｍを、その端子Ｔと接地電位間に印加するとともに前記インバータ制御部４０ｂに調光制御信号として入力している。
【００２３】
前記調光回路４４は、入力端子に調光信号としてＰＷＭ信号を入力し、このＰＷＭ信号を入力回路４４ａ、フォトカプラ４４ｂを介してＰＷＭ／ＤＣ変換回路４４ｃに入力している。前記ＰＷＭ／ＤＣ変換回路４４ｃは入力されるＰＷＭ信号を直流電圧ｄｉｍに変換するもので、調光オフ時の直流電圧ｄｉｍのレベルが最も高く、全光点灯時の直流電圧ｄｉｍのレベルが最も低く、その間は調光点灯時のレベルになっている。なお、調光点灯時の直流電圧ｄｉｍの最も高いレベルと調光オフ時の直流電圧ｄｉｍのレベルとは所定の電位差が設定されている。
【００２４】
このような構成においては、商用電源２１が投入され、ＦＥＴ３３がオン動作されると、電流源３２から電流が流れ、駆動部３８が動作しＦＥＴ３４がスイッチング駆動される。これにより、制御電源回路３１の出力端子である平滑コンデンサ３７の両端間に＋Ｖccの制御電源電圧が発生する。この制御電源電圧＋Ｖccは調光回路４４に供給される。これにより、調光回路４４はスタンバイされる。このとき、調光オフ時にあるので、調光回路４４のＰＷＭ／ＤＣ変換回路４４ｃは調光オフ時の直流電圧ｄｉｍを出力する。
【００２５】
調光オフ時の直流電圧ｄｉｍのレベルは大きいので、ツェナーダイオード４１が導通せず、従って、トランジスタ３９がオフ状態にあり、制御電源回路３１から制御回路４０に制御電源電圧＋Ｖccが供給されることはない。従って、昇圧チョッパ回路２４及びインバータ回路２９は動作しない。
【００２６】
この状態で調光回路４４にＰＷＭ信号が入力すると、ＰＷＭ／ＤＣ変換回路４４ｃから出力される直流電圧ｄｉｍのレベルが低下する。これにより、ツェナーダイオード４１が導通するようになり、制御電源回路３１から制御回路４０に制御電源電圧＋Ｖccが供給されるようになる。こうして、制御回路４０のチョッパ制御部４０ａによって昇圧チョッパ回路２４のＦＥＴ２６がスイッチング駆動され、また、インバータ制御部４０ｂによってインバータ回路２９のスイッチングトランジスタがスイッチング駆動され、インバータ回路２９の出力によって放電灯３０が点灯される。このとき、インバータ回路２９は入力される直流電圧ｄｉｍのレベルによって発振周波数を可変制御し出力を可変する。すなわち、インバータ回路２９の出力は調光度合によって可変され、これにより放電灯３０は調光点灯制御される。また、全光点灯のときには直流電圧ｄｉｍのレベルが最も小さくなり、インバータ回路２９の出力は最大となる。
【００２７】
この状態で調光オフ操作すると、ＰＷＭ／ＤＣ変換回路４４ｃから出力される直流電圧ｄｉｍのレベルが最大レベルに変化する。これにより、ツェナーダイオード４１が再び非導通となり、制御電源回路３１から制御回路４０への制御電源電圧＋Ｖccの供給が停止される。従って、チョッパ制御部４０ａによるＦＥＴ２６のスイッチング駆動及びインバータ制御部４０ｂによるインバータ回路２９のスイッチング駆動が停止され、放電灯３０は消灯される。
【００２８】
この状態では、制御電源回路３１は動作状態にある。従って、調光回路４４はスタンバイ状態にあり、ＰＷＭ信号が入力すると制御回路４０が直ぐに動作を開始して放電灯３０が点灯されるようになる。また、この状態では制御電源回路３１で消費される電力は極めて小さく、起動用抵抗を使用した場合に比べて消費電力を低減できる。また、降圧チョッパ回路からなる制御電源回路３１は電力消費が小さいことから、放電灯３０を全光点灯或いは調光点灯している状態においても従来に比べて消費電力を低減できる。
【００２９】
（第２の実施の形態）
なお、前述した実施の形態と同一の部分には同一の符号を付し、詳細な説明は省略する。  
この実施の形態は、図２に示すように、第１の実施の形態におけるツェナーダイオード４１、ダイオード４２、抵抗４３の直列回路に代えて、スイッチ素子であるＰＮＰ型トランジスタ３９のベースと接地電位との間に、ＮＰＮ型トランジスタ５１のコレクタ、エミッタを接続し、そのＮＰＮ型トランジスタ５１のベースにコンパレータ５２の出力を供給している。
【００３０】
前記ＰＮＰ型トランジスタ３９のエミッタと接地電位間に抵抗５３，５４の直列回路を接続し、その抵抗５３，５４の接続点を前記コンパレータ５２の非反転入力端子(+)に接続している。そして、調光回路４４のＰＷＭ／ＤＣ変換回路４４ｃから出力される直流電圧ｄｉｍを前記コンパレータ５２の反転入力端子(-)に供給するとともに制御回路４０のインバータ制御部４０ｂに供給している。
【００３１】
このような構成においては、調光オフ時にはＰＷＭ／ＤＣ変換回路４４ｃから出力される直流電圧ｄｉｍのレベルが、制御電源回路３１からの出力電圧である＋Ｖccを抵抗５３と抵抗５４とで分圧した電圧Ｖ1よりも大きくなり、コンパレータ５２の出力がローレベルとなる。
【００３２】
従って、ＮＰＮ型トランジスタ５１がオフし、これによりＰＮＰ型トランジスタ３９もオフし、制御電源回路３１から出力される制御電源電圧＋Ｖccは制御回路４０に供給されることはない。このように、調光オフ時には、制御回路４０への制御電源電圧＋Ｖccの供給が停止される。
【００３３】
また、調光回路４４にＰＷＭ信号が入力されると、ＰＷＭ／ＤＣ変換回路４４ｃから出力される直流電圧ｄｉｍのレベルは、全光点灯であれば最も低くなり、また、調光点灯であれば調光度合によって全光時よりも高いレベルで変化する。しかし、このレベルは調光オフ時のレベルに比べると所定レベル以上低くなっている。
【００３４】
従って、このときには直流電圧ｄｉｍのレベルは、電圧Ｖ1よりも小さくなり、コンパレータ５２の出力がハイレベルとなる。従って、ＮＰＮ型トランジスタ５１がオンし、これによりＰＮＰ型トランジスタ３９もオンし、制御電源回路３１から出力される制御電源電圧＋Ｖccは制御回路４０に供給されるようになる。
【００３５】
制御回路４０に制御電源電圧＋Ｖccが供給されると、制御回路４０が動作するので、チョッパ制御部４０ａによって昇圧チョッパ回路２４のＦＥＴ２６がスイッチング駆動され、また、インバータ制御部４０ｂによってインバータ回路２９のスイッチングトランジスタがスイッチング駆動され、インバータ回路２９の出力によって放電灯３０が点灯される。  
この実施の形態においても、制御電源回路３１の動作は前述した第１の実施の形態と全く同じであり、従って、同様の作用効果が得られる。
【００３６】
（第３の実施の形態）
なお、前述した実施の形態と同一の部分には同一の符号を付し、詳細な説明は省略する。  
この実施の形態は、図３に示すように、前述した実施の形態におけるＰＮＰ型トランジスタ３９を省略し、制御電源回路３１の出力端子、すなわち、平滑コンデンサ３７の両端に制御回路４０を直接接続している。そして、ＭＯＳ型ＦＥＴ３４を駆動する駆動部として、デューティ可変制御を行う駆動部５５を使用している。
【００３７】
前記駆動部５５は、図４に示すように、コンパレータ５６を備え、このコンパレータ５６の非反転入力端子(+)に三角波信号Ｓを入力している。また、前記平滑コンデンサ３７の出力電圧を、ツェナーダイオード５７を介してフィードバック電圧として取り出し、このフィードバック電圧を、ダイオード５８を介して前記コンパレータ５６の反転入力端子(-)に入力している。また、調光回路４４のＰＷＭ／ＤＣ変換回路４４ｃから出力される直流電圧ｄｉｍを、ダイオード５９を介して前記コンパレータ５６の反転入力端子(-)に入力している。
【００３８】
このような構成においては、制御電源回路３１から出力される電圧がツェナーダイオード５７のツェナー電圧を越えると、ツェナーダイオード５７のアノードにフィードバック電圧が出力されるが、このフィードバック電圧と、調光オフ時に調光回路４４から出力される直流電圧ｄｉｍのレベル、調光点灯時に調光回路４４から出力される直流電圧ｄｉｍのレベル、全光点灯時に調光回路４４から出力される直流電圧ｄｉｍのレベルの関係を示すと、図５に示す関係になっている。すなわち、調光オフ時の直流電圧ｄｉｍのレベルが最も高く、フィードバック電圧はそれよりも低く設定され、調光点灯時の直流電圧ｄｉｍのレベルはさらに低いレベルに設定され、全光点灯時の直流電圧ｄｉｍのレベルが最も低く設定されている。
【００３９】
従って、調光点灯時及び全光点灯時においては、直流電圧ｄｉｍのレベルがフィードバック電圧よりも低いので、コンパレータ５６の反転入力端子(-)に入力される電圧はフィードバック電圧と等しくなる。このとき、コンパレータ５６は、図６の(a)に示すように、レベルＬ1と三角波信号Ｓのレベルとが比較され、三角波信号ＳのレベルがレベルＬ1以上になったときにオンとなるデューティ信号が出力され、ＦＥＴ３４のゲートに供給される。
【００４０】
このデューティ信号によるＦＥＴ３４のスイッチング動作では平滑コンデンサ３７に充電される電圧は十分に高くなり、制御回路４０にはこの制御回路４０が十分に動作できる＋Ｖcc電圧が印加される。従って、この状態では制御回路４０のチョッパ制御部４０ａは昇圧チョッパ回路２４のＦＥＴ２６をスイッチング駆動し、インバータ制御部４０ｂはインバータ回路２９のスイッチングトランジスタをスイッチング駆動する。そして、インバータ制御部４０ｂはＰＷＭ／ＤＣ変換回路４４ｃから出力される直流電圧ｄｉｍのレベルによってインバータ回路２９の発振周波数を可変して放電灯３０を全光点灯あるいは調光点灯制御する。
【００４１】
また、調光オフ時においては、直流電圧ｄｉｍのレベルがフィードバック電圧よりも大きくなるので、コンパレータ５６の反転入力端子(-)に入力される電圧は直流電圧ｄｉｍと等しくなる。すなわち、レベルがレベルＬ1からレベルＬ2へと上昇する。このとき、コンパレータ５６は、図６の(b)に示すように、レベルＬ2と三角波信号Ｓのレベルとが比較され、三角波信号ＳのレベルがレベルＬ2以上になったときにオンとなるデューティ信号が出力される。すなわち、オンデューティが小さくなる。そして、このデューティ信号がＦＥＴ３４のゲートに供給される。
【００４２】
このデューティ信号によるＦＥＴ３４のスイッチング動作では平滑コンデンサ３７に充電される電圧は低くなる。このため、制御回路４０には十分な＋Ｖcc電圧が供給されなくなり、制御回路４０のチョッパ制御部４０ａからＦＥＴ２６に供給する信号及びインバータ制御部４０ｂからインバータ回路２９のスイッチングトランジスタに供給する信号はすべてローレベルとなり、昇圧チョッパ回路２４及びインバータ回路２９の発振動作は停止する。こうして放電灯３０は消灯制御される。
【００４３】
一方、調光回路４４のＰＷＭ／ＤＣ変換回路４４ｃは平滑コンデンサ３７の充電電圧が低下しても動作可能になっており、入力されるＰＷＭ信号の変化に対して直ちに動作できるようになっている。従って、この消灯状態において、調光回路４４に、例えば全光点灯のＰＷＭ信号が入力されると、直ちに制御電源回路３１の駆動部５５のデューティが可変制御され、制御回路４０に本来の＋Ｖcc電圧が供給されるようになる。これにより、昇圧チョッパ回路２４及びインバータ回路２９が動作して放電灯３０は点灯される。
【００４４】
このように、制御電源回路３１においてＦＥＴ３４をスイッチング駆動する駆動部５５が、調光オフ時にはＦＥＴ３４のオンデューティが小さくなるように制御することで制御電源回路３１から制御回路４０に供給する＋Ｖcc電圧を低下させることで昇圧チョッパ回路２４及びインバータ回路２９の発振動作を停止させ、放電灯３０を消灯させることができる。そして、放電灯３０の消灯状態において、調光回路４４をスタンバイ状態にでき、ＰＷＭ信号が入力すると制御回路４０が直ぐに動作を開始して放電灯３０が点灯されるようになる。
【００４５】
また、放電灯３０が消灯している状態では制御電源回路３１で消費される電力は極めて小さく、起動用抵抗を使用した場合に比べて消費電力を低減できる。また、降圧チョッパ回路からなる制御電源回路３１は電力消費が小さいことから、放電灯３０を全光点灯或いは調光点灯している状態においても従来に比べて消費電力を低減できる。
【００４６】
（第４の実施の形態）
なお、前述した実施の形態と同一の部分には同一の符号を付し、詳細な説明は省略する。  
この実施の形態は、図７に示すように、第３の実施の形態におけるデューティ可変制御を行う駆動部５５を、駆動周波数を可変制御する駆動部６０に代えたものである。その他の構成は第３の実施の形態と同じである。
【００４７】
前記駆動部６０は、図８に示すように、可変周波数発振器（ＶＦＯ）６１を備え、調光回路４４からの直流電圧ｄｉｍのレベルに応じてＦＥＴ３４をスイッチング駆動する信号の周波数を変化させるようになっている。すなわち、直流電圧ｄｉｍのレベルが低い全光点灯時及び調光点灯時においては、可変周波数発振器６１は、図９の(a)に示すように、短い周期で所定の時間幅のオン時間を繰り返す高い周波数の駆動信号によってＦＥＴ３４をスイッチング駆動する。また、直流電圧ｄｉｍのレベルが高い調光オフ時においては、可変周波数発振器６１は、図９の(b)に示すように、全光点灯時及び調光点灯時に比べて長い周期で所定の時間幅のオン時間を繰り返す低い周波数の駆動信号によってＦＥＴ３４をスイッチング駆動する。
【００４８】
従って、高い周波数の駆動信号でＦＥＴ３４がスイッチング駆動される場合は、単位時間当たりの平滑コンデンサ３７への充電回数が多いので、平滑コンデンサ３７に充電される電圧は十分に高くなり、制御回路４０にはこの制御回路４０が十分に動作できる＋Ｖcc電圧が印加される。
【００４９】
従って、この状態では制御回路４０のチョッパ制御部４０ａは昇圧チョッパ回路２４のＦＥＴ２６をスイッチング駆動し、インバータ制御部４０ｂはインバータ回路２９のスイッチングトランジスタをスイッチング駆動する。そして、インバータ制御部４０ｂはＰＷＭ／ＤＣ変換回路４４ｃから出力される直流電圧ｄｉｍのレベルによってインバータ回路２９の発振周波数を可変して放電灯３０を全光点灯あるいは調光点灯制御する。
【００５０】
また、低い周波数の駆動信号でＦＥＴ３４がスイッチング駆動される場合は、単位時間当たりの平滑コンデンサ３７への充電回数が少ないので、平滑コンデンサ３７に充電される電圧は低くなり、制御回路４０にはこの制御回路４０が動作できる＋Ｖcc電圧が印加されなくなる。
【００５１】
従って、この状態では制御回路４０のチョッパ制御部４０ａからＦＥＴ２６に供給する信号及びインバータ制御部４０ｂからインバータ回路２９のスイッチングトランジスタに供給する信号はすべてローレベルとなり、昇圧チョッパ回路２４及びインバータ回路２９の発振動作は停止する。こうして放電灯３０は消灯制御される。
【００５２】
一方、調光回路４４のＰＷＭ／ＤＣ変換回路４４ｃは平滑コンデンサ３７の充電電圧が低下しても動作可能になっており、入力されるＰＷＭ信号の変化に対して直ちに動作できるようになっている。従って、この消灯状態において、調光回路４４に、例えば全光点灯のＰＷＭ信号が入力されると、直ちに制御電源回路３１の駆動部６０の駆動周波数が高くなり、制御回路４０に本来の＋Ｖcc電圧が供給されるようになる。これにより、昇圧チョッパ回路２４及びインバータ回路２９が動作して放電灯３０は点灯される。
【００５３】
このように、制御電源回路３１においてＦＥＴ３４をスイッチング駆動する駆動部６０が、調光オフ時にはＦＥＴ３４をスイッチング駆動する周波数が低くなるように制御する。これにより、制御電源回路３１から制御回路４０に供給する＋Ｖcc電圧を低下させ、昇圧チョッパ回路２４及びインバータ回路２９の発振動作を停止させ、放電灯３０を消灯させる。従って、この実施の形態においても前述した第３の実施の形態と同様の作用効果が得られる。
【００５４】
（第５の実施の形態）
なお、前述した実施の形態と同一の部分には同一の符号を付し、詳細な説明は省略する。  
この実施の形態は、図１０に示すように、第３の実施の形態におけるデューティ可変制御を行う駆動部５５を、連続発振と間欠発に切替える駆動部６２に代えたものである。その他の構成は第３の実施の形態と同じである。
【００５５】
前記駆動部６２は、図１１に示すように、コンパレータ６３を設け、このコンパレータ６３の反転入力端子(-)に基準電圧Ｖfを入力し、非反転入力端子(+)に調光回路４４からの直流電圧ｄｉｍを入力している。基準電圧Ｖfは全光点灯時及び調光点灯時の直流電圧ｄｉｍのレベルよりも高く、調光オフ時の直流電圧ｄｉｍのレベルよりも低く設定されている。そして、コンパレータ６３の出力をＮＰＮ型トランジスタ６４のベースに供給している。このトランジスタ６４のコレクタには間欠発振を制御するオン時間がオフ時間よりも長く設定された矩形信号Ｓ1が入力されている。
【００５６】
前記トランジスタ６４のエミッタは抵抗６５を介して接地するとともに２入力ナンドゲート６６の一方の入力端子に接続している。前記ナンドゲート６６の他方の入力端子には電圧源ＶEからハイレベル信号が供給されている。そして、前記ナンドゲート６６の出力を２入力アンドゲート６７の一方の入力端子に供給し、このアンドゲート６７の他方の入力端子に制御電源回路３１のＦＥＴ３４をスイッチング駆動する駆動信号Ｓ2を供給している。前記アンドゲート６７の出力を、バッファ６８を介して前記ＦＥＴ３４のゲートに供給している。
【００５７】
この実施の形態では、全光点灯時や調光点灯時の直流電圧ｄｉｍのレベルは基準電圧Ｖfよりも低くなる。このため、コンパレータ６３の出力はローレベルであり、トランジスタ６４はオフ状態になる。このときには、ナンドゲート６６の出力は、図１２の(a)に示すように、ハイレベルを連続した信号となる。
【００５８】
従って、アンドゲート６７からの出力は、図１２の(b)に示すように、連続した駆動信号Ｓ2が出力され、これにより、ＦＥＴ３４は連続して高周波スイッチング駆動される。このとき、平滑コンデンサ３７に充電される電圧は十分に高くなり、制御回路４０にはこの制御回路４０が十分に動作できる＋Ｖcc電圧が印加される。
【００５９】
従って、この状態では制御回路４０のチョッパ制御部４０ａは昇圧チョッパ回路２４のＦＥＴ２６をスイッチング駆動し、インバータ制御部４０ｂはインバータ回路２９のスイッチングトランジスタをスイッチング駆動する。そして、インバータ制御部４０ｂはＰＷＭ／ＤＣ変換回路４４ｃから出力される直流電圧ｄｉｍのレベルによってインバータ回路２９の発振周波数を可変して放電灯３０を全光点灯あるいは調光点灯制御する。
【００６０】
また、調光オフ時の直流電圧ｄｉｍのレベルは基準電圧Ｖfよりも高くなる。このため、コンパレータ６３の出力はハイレベルとなり、トランジスタ６４はオン動作する。これにより、ナンドゲート６６に矩形信号Ｓ1が入力され、このナンドゲート６６からは図１２の(c)に示すように、矩形信号Ｓ1を反転した信号となる。
【００６１】
従って、アンドゲート６７からの出力は、図１２の(d)に示すように、間欠的な駆動信号Ｓ2となり、これにより、ＦＥＴ３４は間欠的に高周波スイッチング駆動される。すなわち、制御電源回路３１は間欠発振動作する。このとき、平滑コンデンサ３７に充電される電圧は低くなり、制御回路４０にはこの制御回路４０が動作できる＋Ｖcc電圧が印加されなくなる。
【００６２】
従って、この状態では制御回路４０のチョッパ制御部４０ａからＦＥＴ２６に供給する信号及びインバータ制御部４０ｂからインバータ回路２９のスイッチングトランジスタに供給する信号はすべてローレベルとなり、昇圧チョッパ回路２４及びインバータ回路２９の発振動作は停止する。こうして放電灯３０は消灯制御される。
【００６３】
一方、調光回路４４のＰＷＭ／ＤＣ変換回路４４ｃは平滑コンデンサ３７の充電電圧が低下しても動作可能になっており、入力されるＰＷＭ信号の変化に対して直ちに動作できるようになっている。従って、この消灯状態において、調光回路４４に、例えば全光点灯のＰＷＭ信号が入力されると、直ちに制御電源回路３１の駆動部６２からＦＥＴ３４に供給される駆動信号Ｓ2が間欠状態から連続状態に切替わり、制御回路４０に本来の＋Ｖcc電圧が供給されるようになる。これにより、昇圧チョッパ回路２４及びインバータ回路２９が動作して放電灯３０は点灯される。
【００６４】
このように、調光オフ時には制御電源回路３１を間欠的に発振させることで、この制御電源回路３１から制御回路４０に供給する＋Ｖcc電圧を低下させ、昇圧チョッパ回路２４及びインバータ回路２９の発振動作を停止させて放電灯３０を消灯させる。従って、この実施の形態においても前述した第３の実施の形態と同様の作用効果が得られる。
【００６５】
（第６の実施の形態）
なお、前述した実施の形態と同一の部分には同一の符号を付し、詳細な説明は省略する。  
この実施の形態は、図１３に示すように、第１の実施の形態における調光回路４４に代えて、リモートコントローラからの赤外線の調光信号をリモコン信号として受信する赤外線センサ７１、この赤外線センサ７１が受信したリモコン信号を波形整形等の処理を行う受信回路７２、この受信回路７２からのリモコン信号をデジタル変換して取り込み、全光点灯か、調光点灯か、調光オフかによってレベルが変化する直流電圧ｄｉｍを出力する送信回路を構成する制御部７３からなる調光回路７４を使用している。前記制御部７３は、マイクロコンピュータやその周辺回路によって構成されている。
【００６６】
制御電源回路３１は、平滑コンデンサ３７の両端間に発生する＋Ｖcc電圧を、５Ｖ変換回路７５によって５Ｖに変換した後、前記受信回路７２、制御部７３に供給している。  
この実施の形態においても、リモコン信号が全光点灯や調光点灯を行う信号のときには、直流電圧ｄｉｍのレベルは低くなり、ツェナーダイオード４１が導通する。また、リモコン信号が調光オフのときには、直流電圧ｄｉｍのレベルは高くなり、ツェナーダイオード４１が非導通になる。
【００６７】
そして、ツェナーダイオード４１が導通するときにはトランジスタ３９がオンし、制御電源回路３１から制御回路４０に制御電源電圧＋Ｖccが供給されるようになる。こうして、制御回路４０のチョッパ制御部４０ａによって昇圧チョッパ回路２４のＦＥＴ２６がスイッチング駆動され、また、インバータ制御部４０ｂによってインバータ回路２９のスイッチングトランジスタがスイッチング駆動され、インバータ回路２９の出力によって放電灯３０が点灯される。
【００６８】
また、ツェナーダイオード４１が非導通のときにはトランジスタ３９がオフし、制御電源回路３１から制御回路４０に制御電源電圧＋Ｖccが供給されることはない。従って、昇圧チョッパ回路２４及びインバータ回路２９は動作しない。  
このようにリモコン信号を使用して全光点灯、調光点灯、調光オフ制御するものにおいても、前述した第１の実施の形態と同様の作用効果が得られるものである。
【００６９】
なお、この実施の形態は、リモコン信号を使用して全光点灯、調光点灯、調光オフ制御する方式を前述した第１の実施の形態に適用したものについて述べたがこれに限定するものではなく、前述した第２乃至第５の実施の形態にも容易に適用できるものである。
【００７０】
（第７の実施の形態）
この実施の形態は前述した各実施の形態の放電灯点灯装置を組み込んだ照明器具について述べる。  
図１４は照明器具１００を示し、この照明器具１００は、照明器具本体１０１のソケット１０２に放電灯１０３を取付け、内部に前述した各実施の形態のいずれかの放電灯点灯装置を放電灯点灯装置１０４として組み込み、この放電灯点灯装置１０４によって放電灯１０３を点灯するようになっている。
【００７１】
このようにして、前述した各実施の形態の放電灯点灯装置を組み込んだ照明器具が実現でき、この照明器具においても消費電力の低減化を図ることができる。
【図面の簡単な説明】
【００７２】
【図１】本発明の、第１の実施の形態を示す一部ブロックを含む回路構成図。
【図２】本発明の、第２の実施の形態を示す一部ブロックを含む回路構成図。
【図３】本発明の、第３の実施の形態を示す一部ブロックを含む回路構成図。
【図４】同実施の形態における駆動部の回路構成を示す図。
【図５】同駆動部における全光時、調光点灯時、調光オフ時の直流電圧ｄｉｍレベルとフィードバック電圧との関係を示す図。
【図６】同駆動部におけるコンパレータの動作を説明するための波形図。
【図７】本発明の、第４の実施の形態を示す一部ブロックを含む回路構成図。
【図８】同実施の形態における駆動部の構成を示すブロック図。
【図９】同駆動部の動作を説明するための波形図。
【図１０】本発明の、第５の実施の形態を示す一部ブロックを含む回路構成図。
【図１１】同実施の形態における駆動部の回路構成を示す図。
【図１２】同駆動部の動作を説明するための波形図。
【図１３】本発明の、第６の実施の形態を示す一部ブロックを含む回路構成図。
【図１４】本発明の、第７の実施の形態を示す照明器具の斜視図。
【図１５】従来例を示す一部ブロックを含む回路構成図。
【符号の説明】
【００７３】
２２…全波整流回路、２４…昇圧チョッパ回路、２９…高周波インバータ回路、３０…放電灯、３１…制御電源回路、３９…ＰＮＰ型トランジスタ、４０…制御回路、４１…ツェナーダイオード、４４…調光回路。
【図１】
2005142120.tif 000003
【図２】
2005142120.tif 000004
【図３】
2005142120.tif 000005
【図４】
2005142120.tif 000006
【図５】
2005142120.tif 000007
【図６】
2005142120.tif 000008
【図７】
2005142120.tif 000009
【図８】
2005142120.tif 000010
【図９】
2005142120.tif 000011
【図１０】
2005142120.tif 000012
【図１１】
2005142120.tif 000013
【図１２】
2005142120.tif 000014
【図１３】
2005142120.tif 000015
【図１４】
2005142120.tif 000016
【図１５】
2005142120.tif 000017